(57)【要約】【課題】  本発明は、導光板を用いたパネル式の誘導灯を側面方向から観察した際に、点灯状態の確認を簡易な構成にて容易に確認可能な誘導灯を提供する。【解決手段】  矩形の表示板の表面にシンボルマーク等の表示パターンを設け、表示板の側面には表示板ハウジングと取り付ける脚部を設ける。脚部の内面に複数の段差部を設け、表示板と表示板ハウジングとで画成される空間内に表示板ハウジング側から順に反射シート、導光板、拡散シート、プリズムシートを設けて、表示ユニットとする。表示ユニットの一辺に内部にＬＥＤ光源を設けた直方体形状の光源ユニットを設ける。ＬＥＤ光源から照射された光のうち導光板を通った後、脚部近傍にて出射された光の一部は、当該脚部に向かい、段差部のエッジが光る。このエッジの輝線が観視され、側面におけるコントラストを高め視認性に優れた誘導灯を得る。【選択図】図４
2009259655.tif 000002
【特許請求の範囲】
【請求項１】
表示パターンを記した表示板と表示板ハウジングとを備える表示ユニットと、表示ユニットの一つの辺に取り付けられる一部の面が開口した直方体形状の光源ユニットとを有しする誘導灯であって、
前記表示ユニットは、表示板の背面に位置する導光板と、導光板の背面に位置する反射部材とを含み、前記表示板は表示板ハウジングに固定するための脚部を有しており、
前記脚部には、段差部が形成されており、当該段差部の近傍に前記導光板の端面が位置し、
前記光源ユニットの開口部内には、ＬＥＤ光源が配設され、ＬＥＤ光源から放射される光が導光板内に入射するように密接しており、
前記ＬＥＤ光源が点灯したときには、導光板内を進行して前記脚部近傍にて出射した光の一部が脚部に向い、前記段差部が輝線を形成することを特徴とする誘導灯。
【請求項２】
前記表示ユニットには、導光板の前面に拡散部材およびプリズム部材を配設していることを特徴とする誘導灯。
【発明の詳細な説明】
【技術分野】
【０００１】
本発明は公共施設や建築物等において、非常口や避難経路等を示して人員を誘導するために用いられるものであり、詳しくは導光板を用いた面発光による誘導灯に関する。
【背景技術】
【０００２】
非常口等を表示する誘導灯として、非常口、ＥＸＩＴ等の文字や、脱出している人のシルエット等の図形を乳白色な樹脂板表面に印刷した表示板と、その背面に設けた蛍光灯光源およびその点灯装置を矩形の箱体の内部に収納し、蛍光灯光源が点灯することにより表示板に印刷された文字、図形等を明るく浮き立たせるものが知られている。
また、内部に光源を設けたいわゆる「内照式」のものでは厚みが大きくなるため、より薄型化を図った「パネル式」と称される方式も知られている。
【０００３】
パネル式の誘導灯としては、例えば特許文献１が挙げられる。特許文献１の誘導灯は、面形状の導光板の端面に光源を設け、導光板内に入射した光源からの光にて、文字、図形等を印刷した表示板の背面から照射することにより表示板に印刷された文字、図形等を明るく浮き立たせるものとされている。
【特許文献１】特開平１１−７８１２号公報
【発明の開示】
【発明が解決しようとする課題】
【０００４】
上記したパネル式の導光板を用いた誘導灯は、内照式の誘導灯に比べて薄型化を図ることができる。しかしながら、表示部以外からの光漏れを簡単かつ確実に防止するために、表示部よりも外側の部分を内周鍔部で覆い隠すようにしているため、特に側面から視認したときに点灯していないように感じることがあるという問題があった。。
【０００５】
本発明は、以上の問題に鑑みなされたものであり、本発明は、側面方向からの視認性を高めた薄型の誘導灯を簡単な構成にて実現した誘導灯を提供することをその目的とする。
【課題を解決するための手段】
【０００６】
上記目的を達成するために、本発明は以下の手段とした。
すなわち、請求項１記載の発明は、表示パターンを記した表示板と表示板ハウジングとを備える表示ユニットと、表示ユニットの一つの辺に取り付けられる一部の面が開口した直方体形状の光源ユニットとを有しする誘導灯であって、前記表示ユニットは、表示板の背面に位置する導光板と、導光板の背面に位置する反射部材とを含み、前記表示板は表示板ハウジングに固定するための脚部を有しており、前記脚部には、段差部が形成されており、当該段差部の近傍に前記導光板の端面が位置し、前記光源ユニットの開口部内には、ＬＥＤ光源が配設され、ＬＥＤ光源から放射される光が導光板内に入射するように密接しており、前記ＬＥＤ光源が点灯したときには、導光板内を進行して前記脚部近傍にて出射した光の一部が脚部に向い、前記段差部が輝線を形成することを特徴とする。
【０００７】
また、請求項２記載の発明は、前記表示ユニットには、導光板の前面に拡散部材およびプリズム部材を配設していることを特徴とする。
【発明の効果】
【０００８】
請求項１乃至請求項２記載の発明によれば、薄型としたパネル式の誘導灯を得ることができる。ＬＥＤ光源が点灯した場合には、側面に輝線が観視される。これにより、側面における発光部分のコントラストを高めることができ、視認性を向上させる、という優れた効果を奏し得る。また、簡単な構成にてコスト上昇を抑えてデザイン性に優れた誘導灯を提供できる、といった効果を奏する。
【発明を実施するための最良の形態】
【０００９】
以下、本発明の実施形態を図面に基づいて説明する。
【００１０】
図１は誘導灯の正面図、図２は誘導灯の表示ユニットの分解状態で示す斜視図である。
誘導灯１は、ＬＥＤ光源３を内蔵した光源ユニット２と、脱出している人のシルエットの図形からなる表示パターン５を設けた表示ユニット４からなる。光源ユニット２の上部は、表示ユニット４が所定位置となるように光源ユニット２に取り付け固定されている。
【００１１】
表示ユニット４は、面光源機能を担う反射シート８、導光板９、拡散シート１０およびプリズムシート１１が順に積層され、表示機能を担う表示板７が、その前面、すなわちプリズムシート１１上に積層されている。表示板７と表示板ハウジング６は接着固定され、その内部の空間に前記反射シート８、導光板９、拡散シート１０およびプリズムシート１１が位置するものとされている。また、表示ユニットの全体形状は、一般的な矩形形状とされている。
【００１２】
導光板９は、透明アクリル樹脂からなる楔型形状の断面、すなわち光源ユニット２側となる上側の厚みが厚く、光源ユニット２から離れた下方の辺４２の厚みが薄くなっている。好ましくは、表示ユニット４の上部の厚みを均一とし、組み込み部４４より下方に行くに従って厚みを薄くする。より好適には図３に示すように正面、すなわち表示パターン５を設けた側においてはほぼ鉛直面とし、表示板ハウジング６側を傾斜面とした楔型とする。このようにすると表示板７は平板とすることができ、例えば、表示パターン５として異なるパターンを印刷した表示板７に置換することで、低コストで異なる表示の複数の種類の表示ユニットを提供することができるからである。
【００１３】
反射シート８は、導光板９の背面、すなわち表示板ハウジング６側の面の全面に密接状態で設ける。表面にアルミニウムもしくは銀等の高反射率金属材料からなる反射層を設けた金属板や樹脂フィルムを用いることができる。また、酸化チタン等の高反射率の非金属材料からなる反射層を設けたものでも良い。
【００１４】
拡散シート１０およびプリズムシート１１は省略することも可能である。拡散シート１０は拡散材料を分散した樹脂シート等からなり、少なくとも表示パターン５の領域を覆う大きさとする。これを用いることで表示面の明るさの均一性を向上させることができる。プリズムシート１１は、表面に微小プリズム、たとえば導光板９側に突出する鋭角突起の多数を並べた凸レンズプリズムを形成した樹脂シート等が使用可能である。プリズムシートを設けることで、導光板から出射した光を導光板９の表面に直交する方向に集光して、正面輝度を向上することができるからである。表示板７として乳白色の拡散樹脂を用いた場合には、これらを省略しても良い。
【００１５】
表示板７は、透光性を有するアクリル樹脂材料により形成される。三辺４１、４２、４３は後方に折り曲げられた脚部とされ、それらの端部が表示板ハウジング６の周辺部分が接着剤等により接着固定される。
また、表示板７の表面には、避難口へ誘導するためのシンボルマークや文字等の表示パターン５がその表面に印刷形成されている。表示パターン５は、例えば図１および図２にハッチングして示したシンボルマークが緑色の印刷インクにて印刷処理したものを用いる。
【００１６】
図４は、表示板７の三辺４１、４２、４３の折れ曲がった箇所であるＡ部、Ｂ部、Ｃ部の断面を示す。Ａ部、Ｂ部およびＣ部は厚み方向、特に導光板９の厚みが異なるものであるが、説明を簡単にするために同一の図面にて説明する。
表示板７の脚部７１と表示板ハウジング６の周辺部６１は接着固定されており、その内部空間に、面光源機能を担う反射シート８、導光板９、拡散シート１０およびプリズムシート１１が順に積層した状態で配設されている。脚部７１には、表示板ハウジング６側から順に第一脚部７１ａ、第二脚部７１ｂ、第三脚部７１ｃおよび第四脚部７１ｄの四つと、それらの間の第一段差部７２ａ、第二段差部７２ｂおよび第三段差部７２ｃの三つの段差７２が形成されている。第一段差部７２ａは導光板９の端面側方で第一脚部７１ａと第二脚部７１ｂの間に位置し、第三段差部７２ｃはプリズムシート１１より上方の表示パターン５寄りの位置に設ける。そして、第二段差部７２ｂは、第一段差部７２ａと第三段差部７２ｃの間に形成する。なお、各々の段差部７２は表示板７および表示板ハウジング６とほぼ平行する面とする。
【００１７】
光源ユニット２は、外観直方体で、一面を開口した断面コの字状の金属ケースからなり、その開口部２１から表示ユニット４、具体的には組み込み部４４を挿入して図示しないフック構造等により両社を結合する。図３は光源ユニット２と表示ユニット４とを結合する前の状態を示す概略断面図であり、図５は両者を結合した後の状態を示す斜視図である。
【００１８】
光源ユニット２の開口内部には、開口底部２２の位置にＬＥＤ光源搭載基板３１がネジ等の公知の手段で取り付けられている。ＬＥＤ光源搭載基板３１には、複数のＬＥＤ光源３がその出射方向を開口２１、すなわち導光板９の端面に向いた方向にして設けられている。ＬＥＤ光源３はＬＥＤ搭載基板に設けた電極端子に図示しない外部電源から給電を行なうことにより点灯する。ＬＥＤ光源として、好適には白色ＬＥＤを用いる。
【００１９】
以上のような構成により、図示しない外部電源より給電してＬＥＤ光源３が点灯すると、ＬＥＤ光源から出射した光は導光板９内にその端面から入射する。導光板９内に入射した光は、その内部を繰返し反射しながら光源ユニット２の反対側の辺４２に向かって進む。このとき一部の光は導光板９外に出て、反射シート８により反射した後に導光板９、拡散シート１０およびプリズムシート１１を通って表示板７を通過する。また、他の一部の光は、導光板９外に出て、拡散シート１０およびプリズムシート１１を通って表示板７を通過する。これにより、表示板７に形成した表示パターン５が視認される。
【００２０】
このとき、表示ユニット４の辺４１、辺４２および辺４３に、反射シート８、導光板９、拡散シート１０およびプリズムシート１１の端面や、表示板ハウジング６および表示板７の内面にて反射した光が到達する。また、導光板９から出た光が表示板７内に入射し表示板７内を導光して辺４１，４２，４３に到達する光もある。脚部７１に到達した光の一部は脚部７１を通過し、一部は脚部７１内を進行し、一部は脚部７１にて反射する。このとき、各々の辺の脚部７１には、複数の段差部７２が形成されているので、特に段差部７２における導光板９側のエッジ、具体的には７２ａと７１ｂの境界エッジ、７２ｂと７１ｃの境界エッジおよび７２ｃと７１ｄの境界エッジが特に輝やいて視認される。また、導光板９から外部に出た光は、前記脚部７１以外の箇所からも表示板７に入射する。表示板７に入射した光の一部は、表示板７内を導光し、脚部の厚みの変化部、特に段差部７２における導光板９側のエッジが特に輝やいて視認する効果を補強する。
これにより、図５に示すように各辺には３本のライン状の輝線Ｌが視認されるものとなる。
【００２１】
脚部７１に段差を設けない場合には、側面から漏れる光が存在する。その場合には側面内でのコントラストが低いため、側面方向から観視したときには点灯しているか否かの判断がつきにくい。しかしながら、本実施形態においては、側面内、すなわち辺４１、辺４２および辺４３の夫々の辺内において、３本のライン状の輝線Ｌが存在するので、各辺内におけるコントラストが鮮明になる。これにより、側面方向から誘導灯を観視した場合であっても、視認性および誘目性を高めることができる。また、非点灯時においても、脚部７１に形成した段差および肉厚の差の相乗効果により、側面内におけるコントラストが得られる。これにより昼夜を問わずに視認性および誘目性を高めることができる。
【００２２】
尚、本発明の誘導灯は、上記した実施の形態に限定されるものではなく、例えば、表示板として蛍光樹脂材料を用い、脚部における境界エッジをより一層明るくした輝線とする、ＬＥＤ光源として複数色の発光を可能なＲ，Ｇ，Ｂの３種類のＬＥＤチップを個別に点灯制御可能な白色ＬＥＤを用いて点灯色を制御する等の本発明の要旨を逸脱しない範囲内において種々変更を加え得ることは勿論である。
【図面の簡単な説明】
【００２３】
【図１】本発明の実施の形態にかかる誘導灯を正面図である。
【図２】図１の誘導灯の表示ユニットの分解状態で示す斜視図である。
【図３】実施の形態にかかる誘導灯の表示ユニットと光源ユニットとの結合前の状態を断面にて示す図である。
【図４】図１の誘導灯のＡ部、Ｂ部およびＣ部の断面を拡大して示す図である。
【図５】実施の形態にかかる誘導灯の点灯状態を示す斜視図である。
【符号の説明】
【００２４】
１      誘導灯
２      光源ユニット
３      ＬＥＤ光源
４      表示ユニット
５      表示パターン
６      表示板ハウジング
７      表示板
８      反射シート
９      導光板
１０      拡散シート
１１      プリズムシート
２１      開口部
２２      開口底部
３１      ＬＥＤ光源搭載基板
４１、４２、４３    辺
４４      組み込み部
【図１】
2009259655.tif 000003
【図２】
2009259655.tif 000004
【図３】
2009259655.tif 000005
【図４】
2009259655.tif 000006
【図５】
2009259655.tif 000007